(57)【要約】【課題】電子写真プリント配線板の作製方法及び装置であって、省スペースで、線幅精度良好な基板が短時間に得る事のできる電子写真プリント配線板の作製方法及び装置を提供する事を課題とする。【解決手段】電子写真法によりトナー画像を形成する際に帯電及び露光及びトナー現像処理を基板を同一速度で移動させながら連続処理する事によって上記課題が解決される。【選択図】　図１
2004022564.tif 000002
【特許請求の範囲】
【請求項１】
絶縁性基板の少なくとも片面に少なくとも金属導電層及び電子写真感光層をこの順に設け、該電子写真感光層上に電子写真法によりトナー画像を形成させ、次いでトナー画像部以外の電子写真感光層を溶出除去し、かつ電子写真感光層除去部基板表面をエッチングする電子写真プリント配線板の作製方法において、電子写真法によりトナー画像を形成する際に帯電及び露光及びトナー現像処理を該基板を同一速度で移動させながら連続処理する事を特徴とする電子写真プリント配線板の作製方法。
【請求項２】
該露光がデジタルデータに基づいた直接描画手段による事を特徴とする請求項１記載の電子写真プリント配線板の作製方法。
【請求項３】
絶縁性基板の少なくとも片面に少なくとも金属導電層及び電子写真感光層をこの順に設けた基板を一定の速度で搬送する搬送路、その同一搬送路の少なくとも片側に、電子写真感光層表面の帯電を行う帯電手段、電子写真感光層表面の露光を行う露光手段、電子写真感光層表面の静電潜像のトナー現像を行うトナー現像手段を設けた事を特徴とする電子写真プリント配線板の作製装置。
【請求項４】
該露光手段がデジタルデータに基づいた直接描画手段である事を特徴とする請求項３記載の電子写真プリント配線板の作製装置。
【発明の詳細な説明】
【０００１】
【発明の属する技術分野】
本発明は、電子写真プリント配線板の作製方法及び装置に関し、より詳しくは、省スペースで、線幅精度良好な基板が短時間に得る事のできる電子写真プリント配線板の作製方法及び装置に関する。
【０００２】
【従来の技術】
電子機器の軽薄短小化や多様化に伴い、プリント配線板においても高密度化、工期の短縮化が要求されている現在、レジスト材料として電子写真感光体の応用が検討されている。従来、電子写真平版印刷版等に使用されている電子写真感光体では、既に赤外域での描画が行われており、レーザ光による走査露光によりフォトマスクを使用せずにコンピューターから直接画像データをデジタルデータとして送り、高密度の画像を形成する事が実用化されている。
【０００３】
電子写真法を利用したプリント配線板（以下、電子写真プリント配線板という）の作製は、次の様にしてなされる。絶縁性基板上に金属導電層を設けた積層板上に電子写真感光層を設け、電子写真感光層表面を一様に帯電した後、配線パターンに従って露光を行う、もしくは、配線パターンに従って露光を行った後、帯電を行う事により、露光部分の帯電が消失した静電潜像が得られる。この静電潜像をトナー現像処理を行ってトナー画像を形成し、このトナー画像をレジストとして、トナー画像部以外の電子写真感光層を溶解除去し、トナー画像と電子写真感光層とからなる金属導電層のレジスト画像が作製される。金属導電層の不要部の溶解除去及びそれ以降のプリント配線板の作製工程は、従来と同様にして行う事ができる。
【０００４】
電子写真プリント配線板には帯電した後に露光して静電潜像を形成する通常の電子写真プロセスを利用した電子写真感光体を利用するタイプのものと、特願２０００−３６６６４４号に出願されているような露光した後に帯電して静電潜像を形成するフォトメモリー性感光体を利用するタイプのものがある。
いずれのシステムにおいても、工程としては、既存の直描露光装置、もしくは密着露光装置等のアナログ露光装置により露光された基板を特開平６−２２４５４１号公報記載のようなトナー現像装置により処理を行っていた。
【０００５】
このような従来のシステムでは、利用する感光体の種類により、露光装置もしくはトナー現像装置に帯電手段を付与して、コンパクトにする事はされてはいたが、露光装置とトナー現像装置は基本的には別個の独立の装置となっており、また、それぞれの装置内での基板の処理に関してはその処理方式、処理速度、処理方向等も独立に異なったものであった。
【０００６】
すなわち、図７に示すような定盤上に基板を載置して、定盤の移動によって帯電及び露光を行う帯電手段付き直描露光装置を用いて静電潜像を形成した後、特開平６−２２４５４１号公報記載のような両面トナー現像処理装置で処理する場合には、直描露光装置で片面を帯電・露光処理した後、基板を取り去って、トナー現像装置に投入する必要があり、また両面処理する場合は、直描露光装置で片面を帯電・露光処理を行った後、反転して再度、直描露光装置で帯電・露光処理を行った後、トナー現像装置に投入する事となる。
【０００７】
この際、帯電・露光処理とトナー現像処理との間の時間間隔は、帯電・露光処理とトナー現像処理での基板の処理方向かつ／もしくは処理速度が通常異なるため、基板の場所により一定とはならない。両面を逐次で帯電・露光処理を行う場合は、その差は更に顕著となる。
また、メモリー感光体を密着露光装置で両面一括露光を行い、その後、特願２０００−３７９７４２号に出願している帯電手段付きトナー現像装置で処理する場合も、同様に、基板の部位により、各処理工程間の時間差が生ずる。
【０００８】
電子写真感光体では帯電した後、もしくは露光した後の時間経過にしたがって、表面の電位が徐徐に減衰していく。表面電位が変化すると、トナー現像を行った際のトナー付着量にも影響を及ぼし、異なるトナー画像が得られる事となる。
通常、この処理時間差に起因するトナー画像の変動は、実用上問題とならないレベルであったが、昨今の電子機器の高速化、小型化に伴うプリント配線板回路のファインパターン化、高周波対応等の要求から、回路の線幅が微細化するとともにその線幅精度が重要となってきている。そのような線幅精度が厳しく要求されるプリント配線板を処理した場合には、この各工程間の処理時間差に起因するトナー画像の変化が問題となる場合があった。また、ファインパターンの処理になると、プロセスの管理条件も厳しくなり、プロセス条件の変動状況によっては、この処理時間差による影響が問題となる場合があった。
【０００９】
すなわち、電子写真法の特性から、露光、帯電、トナー現像各工程間、もしくは帯電、露光、トナー現像各工程間の時間間隔が、基板の部位により異なる事により、表面電位状態が基板の部位により変化して、ファインパターンや線幅精度の厳しいパターンを出力する場合には、線幅の変動等が起こり、問題となる場合があった。
また、上記のような、露光装置から露光装置（両面の場合）、露光装置からトナー現像装置へ基板を移送する際に、そのためのハンドリングのための作業スペース・装置が必要となるとともに、その移送時のトラブル（打痕、傷、ゴミ付着）に起因する欠陥が発生する可能性もあった。
【００１０】
【発明が解決しようとする課題】
本発明は、絶縁性基板の少なくとも片面に少なくとも金属導電層及び電子写真感光層をこの順に設け、該電子写真感光層上に電子写真法によりトナー画像を形成させ、次いでトナー画像部以外の電子写真感光層を溶出除去し、かつ電子写真感光層除去部基板表面をエッチングする電子写真プリント配線板の作製方法及び装置であって、省スペースで、線幅精度良好な基板が短時間に得る事のできる電子写真プリント配線板の作製方法及び装置を提供する事を課題とする。
【００１１】
【課題を解決するための手段】
本発明者らは上記課題を解決するため鋭意検討した結果、絶縁性基板の少なくとも片面に少なくとも金属導電層及び電子写真感光層をこの順に設け、該電子写真感光層上に電子写真法によりトナー画像を形成させ、次いでトナー画像部以外の電子写真感光層を溶出除去し、かつ電子写真感光層除去部基板表面をエッチングする電子写真プリント配線板の作製方法において、電子写真法によりトナー画像を形成する際に帯電及び露光及びトナー現像処理を該基板を同一速度で移動させながら連続処理する事により上記課題が解決される事を見いだした。
また該露光がデジタルデータに基づいた直接描画手段を用いる事により、フォトマスクを不要にし、よりスペースを少なく、安定に処理する事ができる。
【００１２】
また、絶縁性基板の少なくとも片面に少なくとも金属導電層及び電子写真感光層をこの順に設けた基板を一定の速度で搬送する搬送路、その同一搬送路の少なくとも片側に、電子写真感光層表面の帯電を行う帯電手段、電子写真感光層表面の露光を行う露光手段、電子写真感光層表面の静電潜像のトナー現像を行うトナー現像手段を設けた事を特徴とする電子写真プリント配線板の作製装置によって解決される。また、該露光手段がデジタルデータに基づいた直接描画手段である事により、フォトマスクを不要にし、よりスペースを少なく、安定に処理する事ができる。
【００１３】
【発明の実施の形態】
以下に本発明の電子写真プリント配線板の作製方法及び装置について詳細に説明する。
【００１４】
本発明の電子写真プリント配線板の作製装置の一例の概略断面構成図を図１に示し、それを参照しながら詳細に説明する。
図１において、基板１は、絶縁性基板の両面に金属導電層及び電子写真感光層をこの順に設けたものであり、電子写真感光層は帯電して露光する事により静電潜像を形成するタイプの通常の電子写真感光プロセスの電子写真感光体を利用している。その基板１を搬送路５に沿って、搬送路に付随する図示しない搬送駆動手段によって同一速度で搬送を行い、搬送路５の上下に設けた、帯電手段１１，露光手段５０、トナー現像手段１５によって連続して処理を行う。
【００１５】
帯電手段１１は、コロトロン方式の帯電機により、基板１の電子写真感光層表面の帯電を行うようになっている。帯電手段１１は、基板１の電子写真感光層表面を一様に帯電できるものであればいずれの方式も利用可能であり、コロトロン方式及びスコロトロン方式等の非接触帯電方式、また、導電ブラシ帯電や導電ロール帯電等の接触帯電方法等の公知の技術を用いる事ができる。
【００１６】
露光手段５０では、光源を含む光学系変調システム５２からの露光ビーム５１を基板表面、基板搬送方向と垂直方向に走査変調露光する事により、所望の位置にパターン露光を行う。露光手段５０は、帯電された電子写真感光層表面を露光し、露光した部位の電位を消失もしくは低減させるものであればいずれの方式でも良く、露光の光源としては、キセノンランプ、タングステンランプ、蛍光灯等を光源とした反射画像露光、透明陽画フィルムを通した密着露光や、レーザー光、発光ダイオード等による走査露光が挙げられる。走査露光に於ける光源は、Ｈｅ−Ｎｅレーザー、アルゴンイオンレーザー、クリプトンイオンレーザー、ルビーレーザー、ＹＡＧレーザー、窒素レーザー、色素レーザー、エキサイマーレーザー、ＧａＡｓ／ＧａＡｌＡｓ、及びＩｎＧａＡｓＰの様な半導体レーザー等のレーザー光源を利用でき、または発光ダイオード、液晶シャッタ、デジタルマイクロミラーデバイスを利用した走査露光（発光ダイオードアレイ、液晶シャッタアレイ等を用いたラインプリンタ型の光源も含む）を行っても良い。密着露光をする場合は、ロール状フォトマスクを線状に基板に接触させ、スリット等を利用して、線状の露光を行い、基板の搬送速度に沿った露光を行う。
【００１７】
トナー現像手段１５は、搬送路５上に搬送されてきた基板の両面に形成された静電潜像に液体現像剤２１を供給して、静電潜像をトナー画像に変換するものである。図１の装置では、現像電極１３を搬送路５の上下に設け、液体現像剤２１の供給を行うと共に、バイアス電圧Ｖａ、Ｖｂを上下現像電極１３に印加してトナー現像を促進させる。基板１と上下現像電極１３との間には液体現像剤２１が満たされ、液体現像剤２１中の荷電トナー粒子が基板表面の静電潜像に従って、画像様に基板１表面に付着する。トナーがパターンに従って付着された後、上下絞液ロール１４の挟持によって余剰の液体現像剤の除去を行われ、その後、図示しない乾燥手段、定着手段によって、トナー画像を熱による定着を行う。その後、従来のプリント基板製造で用いられる、公知のアルカリ現像手段、エッチング手段によって、金属導電層パターンが得られる。
【００１８】
搬送路５に沿って基板を搬送する手段としては、図１では、ロールによる挟持搬送手段を用いているが、特に帯電後トナー現像定着前までは、基板表面には非接触での搬送が好ましいため、特開２０００−１８５８４１号公報に記載のような端部支持搬送方式を利用しても良い。搬送手段は、同一速度で連続的に、帯電手段、露光手段、トナー現像手段の各処理手段による処理を通過させる事ができるものであればいずれの方式も利用可能で、上記の方式の他、チャックによる基板搬送手段や、片面のみの処理の場合には定盤上載置による搬送手段等いずれの方式も用いることができる。
【００１９】
また、本発明に係わる基板は図１では枚葉のものを使用しているが、長尺状（ロールシート状）の基板も利用する事ができる。その場合は、搬送路５上に基板を安定に一定速度で搬送させるための搬送手段としては、ロールによる巻き出し、巻き取り駆動、及びテンションロール、バッキングロール等の安定搬送手段を付加する事が望ましい。
本発明に係わる搬送路５は、直線である必要はなく、基板を一定速度で安定に搬送できれば、曲線が一部もしくは全部に含まれていてもかまわない。
【００２０】
それぞれの帯電手段１１、露光手段５０、トナー現像手段１５を所定の一定速度で連続して処理させた場合に、良好なトナー画像を得るためには、その一定の搬送速度に対して、最適な処理が行われるように、帯電手段１１、露光手段５０、トナー現像手段１５の処理条件を調整する必要がある。
例えば、図１において、搬送速度をより速くして処理を行おうとする場合には、帯電手段１１であるコロトロン帯電方式においては、コロナワイヤ本数を増やす、帯電領域長を広げる、ワイヤと搬送路（基板）との間隔を狭くする、ワイヤへの印加電圧を高くする、等の条件変更により良好な状態に調整する。また、同様に、露光手段５０である、レーザ走査露光では、走査速度を速くする、露光ビーム本数を増やす等の条件変更により良好な状態に調整する。
また、同様にトナー現像手段１５では、液体現像剤の濃度を高くする、現像電極長を長くする、現像電極と搬送路（基板）との間隔を狭くする、供給液流量を増やす、等の条件変更により良好な状態に調整する。
【００２１】
また、本発明に係わる絶縁性基板としては、ガラス基材エポキシ樹脂板、紙基材フェノール樹脂板、紙基材エポキシ樹脂板、ガラス基材ポリイミド樹脂板、ポリエステルフィルム、ポリイミドフィルム、ポリアミドフィルム、及びポリふっ化ビニルフィルム等が挙げられる。また、絶縁性基板の厚さは６０μｍ〜３．２ｍｍ程度であり、プリント配線板としての最終使用形態により、その材質と厚さが選定される。
【００２２】
本発明に係わる金属導電層は、銅、銀、アルミニウム、ステンレス、ニクロム、及びタングステン等が挙げられる。金属導電層の厚さは５〜３５μｍが一般的であるが、前処理時のソフトエッチングやメッキ処理により厚さは調整される。
【００２３】
本発明に係わる電子写真感光層としては、通常の帯電・露光の順による静電潜像を形成する通常の電子写真感光体として、有機及び無機の光導電性化合物が挙げられる。無機光導電性化合物の例としては、セレン及びセレン合金、アモルファスシリコン、硫化カドミウム、酸化亜鉛、硫化亜鉛、酸化チタン等を挙げる事ができる。また、有機光導電性化合物の例としては、
ａ）米国特許第３，１１２，１９７号明細書等に記載のトリアゾール誘導体、
ｂ）米国特許第３，１８９，４４７号明細書等に記載のオキサジアゾール誘導体、
ｃ）特公昭３７−１６０９６号公報等に記載のイミダゾール誘導体、
ｄ）米国特許第３，５４２，５４４号、同３，６１５，４０２号、同３，８２０，９８９号明細書、特公昭４５−５５５号、同５１−１０９８３号、特開昭５１−９３２２４号、同５５−１０８６６７号、同５５−１５６９５３号、及び同５６−３６６５６号公報等に記載のポリアリールアルカン誘導体、
ｅ）米国特許第３，１８０，７２９号、同４，２７８，７４６号明細書、特開昭５５−８８０６４号、同５５−８８０６５号、同４９−１０５５３７号、同５５−５１０８６号、同５６−８００５１号、同５６−８８１４１号、同５７−４５５４５号、同５４−１１２６３７号、及び同５５−７４５４６号公報等に記載のピラゾリン誘導体及びピラゾロン誘導体、
ｆ）米国特許第３，６１５，４０４号明細書、特公昭５１−１０１０５号、同４６−３７１２号、同４７−２８３３６号、特開昭５４−８３４３５号、同５４−１１０８３６号、及び同５４−１１９９２５号公報等に記載のフェニレンジアミン誘導体、
ｇ）米国特許第３，５６７，４５０号、同３，１８０，７０３号、同３，２４０，５９７号、同３，６５８，５２０号、同４，２３２，１０３号、同４，１７５，９６１号、同４，０１２，３７６号明細書、西独国特許（ＤＡＳ）１，１１０，５１８号、特公昭４９−３５７０２号、同３９−２７５７７号、特開昭５５−１４４２５０号、同５６−１１９１３２号、及び同５６−２２４３７号公報等に記載のアリールアミン誘導体、
ｈ）米国特許第３，５２６，５０１号明細書記載のアミノ置換カルコン誘導体、
ｉ）米国特許第３，５４２，５４６号明細書等に記載のＮ，Ｎ−ビカルバジル誘　導体、
ｊ）米国特許第３，２５７，２０３号明細書等に記載のオキサゾール誘導体、
ｋ）特開昭５６−４６２３４号公報等に記載のスチリルアントラセン誘導体、
ｌ）特開昭５４−１１０８３７号公報等に記載のフルオレノン誘導体、
ｍ）米国特許第３，７１７，４６２号明細書、特開昭５４−５９１４３号（米国特許第４，１５０，９８７号に対応）、同５５−５２０６３号、同５５−５２０６４号、同５５−４６７６０号、同５５−８５４９５号、同５７−１１３５０号、同５７−１４８７４９号、及び同５７−１０４１４４号公報等に記載のヒドラゾン誘導体、
ｎ）米国特許第４，０４７，９４８号、同４，０４７，９４９号、同４，２６５，９９０号、同４，２７３，８４６号、同４，２９９，８９７号、及び同４，３０６，００８号明細書等に記載のベンジジン誘導体、
ｏ）特開昭５８−１９０９５３号、同５９−９５５４０号、同５９−９７１４８号、同５９−１９５６５８号、及び同６２−３６６７４号公報等に記載のスチルベン誘導体、
ｐ）特公昭３４−１０９６６号公報に記載のポリビニルカルバゾール及びその誘導体、
ｑ）特公昭４３−１８６７４号及び同４３−１９１９２号公報に記載のポリビニルビレン、ポリビニルアントラセン、ポリ−２−ビニル−４−（４´−ジメチルアミノフェニル）−５−フェニルオキサゾール、及びポリ−３−ビニル−Ｎ−エチルカルバゾール等のビニル重合体、
ｒ）特公昭４３−１９１９３号公報に記載のポリアセナフチレン、ポリインデン、及びアセナフチレン／スチレン共重合体等の重合体、
ｓ）特公昭５６−１３９４０号公報等に記載のピレン／ホルムアルデヒド樹脂及びエチルカルバゾール／ホルムアルデヒド樹脂等の縮合樹脂、
ｔ）特開昭５６−９０８８３号、同５６−１６１５５０号公報等に記載の各種トリフェニルメタン重合体、
ｕ）米国特許第３，３９７，０８６号、同４，６６６，８０２号、特開昭５１−９０８２７号、同５２−６５５６４３号、特開昭６４−２０６１号、及び同６４−４３８９号公報等に記載の無金属あるいは金属（酸化物）フタロシアニン及びナフタロシアニン、及びその誘導体等がある。
本発明に係わる有機光導電性化合物は、ａ）〜ｕ）に挙げられた化合物に限定されず、他の有機光導電性化合物を用いる事ができる。これらの有機光導電性化合物は、所望により２種類以上を併用しても良い。
【００２４】
本発明に係わる電子写真感光層がフォトメモリー性感光体を利用する場合は、特願２０００−３６６６４４号に記載の感光体を利用する事ができる。
また、フォトメモリー性感光体を利用する場合には、本発明の電子写真プリント配線板の作製装置としては、図２にその概略断面構成図の一例を示すような、露光手段５０の後に帯電手段１１を設けたような電子写真プリント配線板の作製装置を用いて処理を行う。
【００２５】
本発明に係わる電子写真感光層には、上記化合物の他に結着樹脂を含有させる事が好ましい。本発明に用いられる結着樹脂は、帯電性等を含む電子写真特性を満足し、かつ溶出液への溶解性を有していなければならない。
溶出液としては酸性またはアルカリ性液が用いられるが、酸性溶出液の場合結着樹脂としては酸可溶型結着樹脂が、アルカリ性溶出液の場合はアルカリ可溶型結着樹脂を使用する。
【００２６】
本発明に係わる電子写真感光層の基板への形成方法としては、浸漬法、バーコート法、スプレーコート法、ロールコート法、カーテンコート法、及び電着法等によって行う。
【００２７】
【実施例】
以下、本発明を実施例により説明するが、本発明は本実施例のみに限定されるものではない。
【００２８】
実施例
基板として、両面銅張り積層板３４２ｍｍ×５１２ｍｍ（厚み０．６ｍｍ）（三菱ガス化学製、ＣＣＬ‐Ｅ１７０）を使用し、長端（５１２ｍｍの辺部）をチャックで１０ｍｍ挟んで電子写真感光層形成用塗液［メタクリル酸／メタクリル酸ベンジル／アクリル酸ｎ‐ブチル共重合体（質量組成比２０／３０／５０、分子量２．５万）５０質量部、χ型無金属フタロシアニン（大日精化工業製、ＭＣＰ‐８０）１０質量部、１，４‐ジオキサン６９０質量部で構成］の入ったディップ層に入れ、ディップ（浸漬）法で約１０μｍ厚の電子写真感光層を形成した。
【００２９】
この電子写真感光層を両面に形成した両面銅張り基板を図１に示す電子写真プリント配線板の作製装置に投入し、帯電手段１１により、基板表面を＋３００Ｖに帯電し、露光手段５０により回路パターンに従ったデジタルデータによってレーザビームの変調走査露光を行い、静電潜像の形成を行った。その後、トナー現像手段１５にて、トナー現像処理を行い、静電潜像を、トナー画像に変換した。その後、基板の乾燥及び熱定着を行い、トナー画像によるレジストを形成した。この際の電子写真プリント配線板の作製装置の搬送速度は１ｍ／ｍｉｎで図３に矢印で示す処理方向で処理を行った。
この基板に、３０℃に加熱した１質量％炭酸ナトリウム溶液をスプレーした後、水道水で洗浄し、トナーで被覆されていない部分の電子写真感光層を溶出除去した後、４５℃に加熱した塩化第二鉄水溶液をスプレーして露出した銅部を除去した。更に、５０℃に加熱した３．０質量％の水酸化ナトリウム水溶液をスプレーし、残存しているトナー及び電子写真感光層を除去して基板の両面に配線パターンを得た。
【００３０】
得られた基板の配線パターン形成面は、両面共に汚れがなく、配線パターンの線幅も表裏、及び基板全面にわたって良好な精度で均一で良好な配線パターンが形成されていた。
トナー現像後の時点で、図６に示す基板の部位ａと部位ｂとで、同じ設計線幅のパターンのトナー画像線幅を測定比較すると、線幅差の±３μｍ以内におさまっていた。
【００３１】
比較例
実施例と同様にして電子写真感光層を両面に設けた基板を、図７に示すような帯電手段付き露光装置の定盤に載置して、定盤を移動させる事により基板の一方の面（第一面）の帯電・露光を行い、静電潜像を形成した。その後、基板の反転動作を行い、定盤上に裏返して載置して、帯電、露光を行い、基板両面に静電潜像を形成した。この基板を特開平６−２２４５４１号公報記載の両面トナー現像処理装置をそのまま用いて両面にトナー画像を形成した。
【００３２】
その後の処理は実施例と同様にして行い、基板の両面に配線パターンを得た。基板の第１面の帯電・露光処理の処理方向は図４に矢印で示す方向で処理を行い、第２面の帯電・露光処理の処理方向は図５に矢印で示す方向で処理を行い、共に処理速度（定盤の移動速度）はともに０．５ｍ／ｍｉｎであり、トナー現像処理装置での処理方向は図３に矢印で示す方向で処理を行い、その際の搬送速度は２ｍ／ｍｉｎで処理を行った。
その結果、図６に示す基板の部位ａと部位ｂとで同一設計線幅であるにもかかわらず大きな線幅差が出、第一面の部位ａの線幅が第二面の部位ｂの線幅よりも太めに出ており、良好な線幅精度の基板の作製はできていなかった。
トナー現像後の時点で、図６に示す基板の部位ａと部位ｂとで、同じ設計線幅のパターンのトナー画像線幅を測定比較すると、第二面の部位ｂの線幅が第一面の部位ａの線幅よりも１０μｍ以上太めに再現されていた。
【００３３】
図６に示す基板の部位ａでは、帯電処理は最も早い時期になされ、トナー現像処理は一番最後になされる事になり、帯電・露光からトナー現像までの時間間隔は最も大きなものとなる。また、部位ｂでは帯電処理は一番最後になされ、トナー現像処理は最初に処理される位置であるため、帯電・露光からトナー現像までの時間間隔は最も短くなる。この時間間隔の差がトナー現像時の表面電位の差になり、結果としてトナー現像画質に影響を及ぼし、最終的な線幅変動に結びついたものと考えられる。
【００３４】
また、露光装置上での基板の反転載置作業や、トナー現像装置への投入作業等をきわめて慎重に行う必要があるとともに、基板の絶対的な移動距離が長くなるため、余分な時間がかかり、トータルの処理時間も余分にかかる結果となった。
【００３５】
【発明の効果】
以上に説明した如く、電子写真プリント配線板の作製を行う際に、帯電及び露光及びトナー現像処理を該基板を同一速度で移動させながら連続処理する方法及び装置により、省スペース化がはかられると共に、基板の移動距離が絶対的に短くなるため、短時間での処理が可能となり、また、基板ハンドリングに伴う打痕や傷、ゴミ付着等による欠陥を減少させられる。また、各処理工程の時間間隔を基板の全面にわたって同一にする事で、線幅精度の優れた、良好なプリント配線板が安定に得る事ができる。
【図面の簡単な説明】
【図１】本発明に係わる電子写真プリント配線板の作製装置（帯電後露光する通常の電子写真感光体を電子写真感光層として利用した場合）の概略断面構成図。
【図２】本発明に係わる電子写真プリント配線板の作製装置（フォトメモリー性感光体を電子写真感光層として利用した場合）の概略断面構成図。
【図３】基板の処理方向を示す図。
【図４】比較例における基板の第一面の処理方向を示す図。
【図５】比較例における基板の第二面の処理方向を示す図。
【図６】基板の部位を示す図。
【図７】帯電手段付き露光装置の斜視図。
【符号の説明】
１　基板（通常電子写真感光体利用）
２　基板（フォトメモリー性感光体利用）
４　定盤
５　搬送路
１１　帯電手段
１３　現像電極
１４　絞液ロール
１５　トナー現像手段
２１　液体現像剤
５０　露光手段
５１　露光ビーム
【図１】
2004022564.tif 000003
【図２】
2004022564.tif 000004
【図３】
2004022564.tif 000005
【図４】
2004022564.tif 000006
【図５】
2004022564.tif 000007
【図６】
2004022564.tif 000008
【図７】
2004022564.tif 000009